(57)【要約】【課題】  仮設足場に取り付けた仮設足場用養生シートを長期間にわたって良好な状態に維持することが可能であって、仮設足場用養生シートを単独で設置することを可能にした仮設足場用養生シートとこれを用いた仮設足場用養生体を提供すること。【解決手段】  仮設足場の外表面を覆うようにして配設することにより仮設足場を養生するための仮設足場用養生シート１０であって、矩形に形成されたシート体１２のすべての外周辺（１２Ａ，１２Ｂ，１２Ｃ，１２Ｄ）には、先端部に多角形枠体（１４Ａ，１４Ｂ，１４Ｃ，１４Ｄ）が取り付けられたベルト（１６Ａ，１６Ｂ，１６Ｃ，１６Ｄ）が所要間隔をあけて配設されていて、外周辺（１２Ａ，１２Ｂ，１２Ｃ，１２Ｄ）のうち少なくとも１つに取り付けられている多角形枠体（１４Ａ，１４Ｂ）には、連結具１８が着脱可能に装着されていることを特徴とする。【選択図】図１
0003209100.tif 000002
【実用新案登録請求の範囲】
【請求項１】
仮設足場の外表面を覆うようにして配設することにより前記仮設足場を養生するための仮設足場用養生シートであって、
矩形に形成されたシート体のすべての外周辺には、先端部に多角形枠体が取り付けられたベルトが所要間隔をあけて配設されていて、
前記外周辺のうち少なくとも１つの前記外周辺に取り付けられている前記多角形枠体には、連結具が着脱可能に装着されていることを特徴とする仮設足場用養生シート。
【請求項２】
前記多角形枠体は矩形枠体であることを特徴とする請求項１記載の仮設足場用養生シート。
【請求項３】
前記連結具の前記仮設足場用養生シートの連結方向における両端部には、前記多角形枠体の外周縁が進入可能な開口部が形成されていることを特徴とする請求項１または２記載の仮設足場用養生シート。
【請求項４】
前記連結具の開口部の開口寸法は、前記多角形枠体の外周縁の幅寸法より狭く形成されていることを特徴とする請求項３記載の仮設足場用養生シート。
【請求項５】
請求項１〜４のうちいずれか一項に記載の仮設足場用養生シートが仮設足場の外表面を覆うように複数配設されていて、
互いに隣り合う前記仮設足場用養生シートにおいて、一方の前記仮設足場用養生シートにおける前記多角形枠体と、他方の前記仮設足場用養生シートにおける前記多角形枠体とが前記連結具によって連結されていることを特徴とする仮設足場用養生体。
【考案の詳細な説明】
【技術分野】
【０００１】
本考案は仮設足場用養生シートとこれを用いた仮設足場用養生体に関する。
【背景技術】
【０００２】
建物の建設現場には仮設足場が構築されることが多い。建設現場においては、仮設足場の内側部分で発生した騒音やほこりが仮設足場の外側空間に漏れ出さないようにするため、仮設足場の外表面には仮設足場を覆うようにして仮設足場用養生シートが取り付けられている。このような仮設足場用養生シートは、特許文献１に開示されているように、シート体の外周辺にハト目が所要間隔をあけて配設されていて、紐状体をハト目に通して仮設足場の支柱である単管に縛りつけることにより取り付けされていることが多い。
【先行技術文献】
【特許文献】
【０００３】
【特許文献１】特許第２５９０６７２号公報
【考案の概要】
【考案が解決しようとする課題】
【０００４】
従来技術では、仮設足場に取り付けた仮設足場用養生シートを長期間にわたって使用すると、シート体を取り付けている紐状体が緩んだり切れたりすることがあり、仮設足場に対してシート体が不適切な状態で取り付けられた状態になってしまうといった課題がある。また、紐状体を用いて高さ方向に仮設足場用養生シートを連結させる際は、片手で紐状体を縛りつけることができないため、複数人で仮設足場用養生シートを仮設足場に設置しなければならないといった課題も有している。
【０００５】
本考案は上記課題を解決すべくなされたものであり、仮設足場に取り付けた仮設足場用養生シートを長期間にわたって良好な状態に維持することが可能であって、仮設足場用養生シートを単独で設置することを可能にした仮設足場用養生シートとこれを用いた仮設足場用養生体の提供を目的としている。
【課題を解決するための手段】
【０００６】
上記課題を解決するために本考案者が鋭意研究した結果、以下の構成に想到した。
すなわち本考案は、仮設足場の外表面を覆うようにして配設することにより前記仮設足場を養生するための仮設足場用養生シートであって、矩形に形成されたシート体のすべての外周辺には、先端部に多角形枠体が取り付けられたベルトが所要間隔をあけて配設されていて、前記外周辺のうち少なくとも１つの前記外周辺に取り付けられている前記多角形枠体には、連結具が着脱可能に装着されていることを特徴とする仮設足場用養生シートである。
【０００７】
これにより、仮設足場に取り付けた仮設足場用養生シートを長期間にわたって良好な状態に維持することができる。また、仮設足場用養生シートを単独で仮設足場に設置することが可能になる。
【０００８】
また、前記多角形枠体は矩形枠体であることが好ましい。
【０００９】
これにより、多角形枠体と連結具との連結がより簡便に行うことができるので、仮設足場用シートどうしの連結作業の負担を軽減することができる。
【００１０】
また、前記連結具の前記仮設足場用養生シートの連結方向における両端部には、前記多角形枠体の外周縁が進入可能な開口部が形成されていることが好ましく、前記連結具の開口部の開口寸法は、前記多角形枠体の外周縁の幅寸法より狭く形成されていることがさらに好ましい。
【００１１】
これらにより、連結具と多角形枠体との連結が容易に行うことができると共に、一旦連結させた連結具と多角形枠体との連結状態を長期にわたって良好な状態に維持することが可能になる。
【００１２】
また、上記のうちのいずれかの仮設足場用養生シートが仮設足場の外表面を覆うように複数配設されていて、互いに隣り合う前記仮設足場用養生シートにおいて、一方の前記仮設足場用養生シートにおける前記多角形枠体と、他方の前記仮設足場用養生シートにおける前記多角形枠体とが前記連結具によって連結されていることを特徴とする仮設足場用養生体とすることもできる。
【００１３】
これにより、仮設足場に取り付けた仮設足場用養生体を長期間にわたって良好な状態に維持することができる。また、仮設足場用養生体を単独で仮設足場に設置することが可能になる。
【考案の効果】
【００１４】
本考案にかかる仮設足場用養生シートとこれを用いた仮設足場用養生体の構成を採用することにより、仮設足場に取り付けた仮設足場用養生シートを長期間にわたって良好な状態に維持することが可能であって、仮設足場用養生シートを単独で設置することを可能にした仮設足場用養生シートとこれを用いた仮設足場用養生体を提供することができる。
【図面の簡単な説明】
【００１５】
【図１】本実施形態における仮設足場用養生シートの正面図である。
【図２】本実施形態における連結具の正面図と断面図である。
【図３】本実施形態における仮設足場用養生シートを仮設足場の外表面を覆うようにして複数配設した状態（仮設足場用養生体）の正面図である。
【図４】図３中のＩＶ−ＩＶ線における多角形枠体とベルト部分の断面図である。
【図５】連結具の変形例を示す正面図および断面図である。
【図６】連結具の変形例を示す正面図および断面図である。
【考案を実施するための形態】
【００１６】
以下、本考案にかかる洗浄機の実施形態について、図面に基づいて具体的に説明する。
図１に示すように、本実施形態における仮設足場用養生シート１０は、シート体１２と、多角形枠体（１４Ａ，１４Ｂ，１４Ｃ，１４Ｄ）を有するベルト（１６Ａ，１６Ｂ，１６Ｃ，１６Ｄ）と、一部の多角形枠体１４に着脱可能に装着された連結具１８を有している。
【００１７】
シート体１２はメッシュ材や帆布等に代表される材料により正面視形状が矩形に形成されている。シート体１２の端縁部分を所要幅に複数折り畳むことにより外周辺（１２Ａ，１２Ｂ，１２Ｃ，１２Ｄ）が形成されている。このように形成されたシート体１２の外周辺（１２Ａ，１２Ｂ，１２Ｃ，１２Ｄ）には、先端部（自由端部）に多角形枠体（１４Ａ，１４Ｂ，１４Ｃ，１４Ｄ）を取り付けたベルト（１６Ａ，１６Ｂ，１６Ｃ，１６Ｄ）が所要間隔をあけて縫製や接着等公知の手法により複数配設されている。また、シート体１２の外周辺（１２Ａ，１２Ｂ，１２Ｃ，１２Ｄ）のうち、外周辺１２Ａと外周辺１２Ｂに配設されている多角形枠体（１４Ａ，１４Ｂ）には連結具１８が着脱可能に装着されている。
【００１８】
本実施形態における多角形枠体（１４Ａ，１４Ｂ，１４Ｃ，１４Ｄ）は矩形枠体に形成されているが、この形態に限定されるものではない。矩形枠体の他に三角系枠体や五角形枠体等に代表される他の多角形枠体を採用することもできる。このような多角形枠体（１４Ａ，１４Ｂ，１４Ｃ，１４Ｄ）は、金属や合成樹脂等により形成することができる。
【００１９】
外周辺１２Ａと外周辺１２Ｂに取り付けられている多角形枠体１４に取り付けられている連結具１８は図２に示すように連結方向に沿った断面形状がＳ字形状をなす板状部材に形成されている。図２からも明らかなように、連結具１８の連結方向における両端部には、多角形枠体（１４Ａ，１４Ｂ，１４Ｃ，１４Ｄ）の外周縁１４Ｚが進入可能な開口部１８Ａが形成されている。連結具１８の開口部１８Ａにおける開口幅ａ１は、多角形枠体（１４Ａ，１４Ｂ，１４Ｃ，１４Ｄ）の外周縁１４Ｚの幅寸法ａ２よりも狭く形成されている（図４参照）。このように形成された連結具１８の開口部１８Ａに隣接する仮設足場用養生シート１０に取り付けられている多角形枠体（１４Ａ，１４Ｂ，１４Ｃ，１４Ｄ）の外周縁１４Ｚを進入させることによって仮設足場用養生シート１０どうしの連結を行うことができる。
【００２０】
つづいて互いに隣接する仮設足場用養生シート１０の連結について説明する。図３は、図１に示した仮設足場用養生シート１０を図示しない仮設足場の外表面を覆うようにして複数配設した状態（仮設足場用養生体１００）の正面図である。また、図４は、図３中のＩＶ−ＩＶ線における多角形枠体（１４Ａ，１４Ｃ）とベルト（１６Ａ，１６Ｃ）部分の断面図である。
【００２１】
図３に示すように一方の仮設足場用養生シート１０−１（以下、第１仮設足場用養生シート１０−１という）の外周辺１２Ａには、連結具１８が装着された多角形枠体１４Ａを有するベルト１６Ａが取り付けられている。同様に、第１仮設足場用養生シート１０−１の外周辺１２Ｂには、連結具１８が装着された多角形枠体１４Ｂを有するベルト１６Ｂが取り付けられている。
【００２２】
また、第１仮設足場用養生シート１０−１に横方向に隣り合う他方の仮設足場用養生シート１０−２（以下、第２仮設足場用養生シート１０−２という）の外周辺１２Ｃには、多角形枠体１４Ｃが取り付けられたベルト１６Ｃが取り付けられている。また、第１仮設足場用養生シート１０−１に縦方向に隣り合う他方の仮設足場用養生シート１０−３（以下、第３仮設足場用養生シート１０−３という）外周辺１２Ｄには、多角形枠体１４Ｄが取り付けられたベルト１６Ｄが取り付けられている。
【００２３】
図４に示すように、第１仮設足場用養生シート１０−１に横方向で隣り合う第２仮設足場用養生シート１０−２は、第１仮設足場用養生シート１０−１の外周辺１２Ａのベルト１６Ａ側に装着された連結具１８を用いて第１仮設足場用養生シート１０−１の外周辺１２Ａの多角形枠体１４Ａと第２仮設足場用養生シート１０−２の外周辺１２Ｃの多角形枠体１４Ｃを連結することができる。
【００２４】
具体的には、次のようになる。第２仮設足場用養生シート１０−２の外周辺１２Ｃの多角形枠体１４Ｃの外周縁１４Ｚを連結具１８の開口部１８Ａに押し付けると、多角形枠体１４Ｃ外周縁１４Ｚにより開口部１８Ａが弾性変形する。多角形枠体１４Ｃの外周縁１４Ｚを開口部１８Ａにさらに進入させると、開口部１８Ａの開口寸法ａ１を多角形枠体１４Ｃの外周縁１４Ｚの幅寸法ａ２に等しくすることができる。そして多角形枠体１４Ｃの外周縁１４Ｚが開口部１８Ａを通過すると、開口部１８Ａの弾性変形が元に戻り、開口部１８Ａの開口寸法ａ１は再び多角形枠体１４Ｃの外周縁１４Ｚの幅寸法よりも狭くなる。これにより連結具１８に多角形枠体１４Ｃの外周縁１４Ｚが抜け止めされた状態で装着することができる。なお、多角形枠体１４Ｃの外周縁１４Ｚから連結具１８を取り外しする際には、連結具１８の開口部１８Ａを弾性変形させることにより開口部１８Ａの開口寸法ａ１を多角形枠体１４Ｃの外周縁１４Ｚの幅寸法と等しくなるまでひろげればよい。
【００２５】
第１仮設足場用養生シート１０−１に縦方向で隣り合う第３仮設足場用養生シート１０−３の連結方法も、第１仮設足場用養生シート１０−１に横方向で隣り合う第２仮設足場用養生シート１０−２の連結方法と同様にして行うことができる。
【００２６】
以上の連結手順を繰り返し行うことにより、仮設足場の外表面に配設した複数の仮設足場用養生シート１０を簡単な操作で連結することで、仮設足場の外表面に仮設足場用養生体１００が配設される。本実施形態によれば、互いに隣り合う仮設足場用養生シート１０を連結させる際には、金属や合成樹脂により形成された板状部材からなる連結具１８を用いているので、一旦連結された仮設足場用養生シート１０は長期にわたって連結当初の連結状態を維持することができる。また、連結具１８が予め一方の仮設足場用養生シート１０に着脱可能に装着されているので、仮設足場への仮設足場用養生シート１０の配設作業を一人で行うことができる点できわめて使い勝手が良好である。
【００２７】
なお、仮設足場に直接取り付けられる仮設足場用養生シート１０については、仮設足場用養生シート１０の四隅に配設されたハト目１９を用いてフック体や紐状体等を用いて仮設足場に仮設足場用養生シート１０の取り付けを行うことができる。
【００２８】
以上、本考案にかかる仮設足場用養生シート１０について実施形態に基づいて詳細に説明したが、本考案にかかる仮設足場用養生シート１０の構成は、本実施形態に示した構成に限定されるものではない。たとえば、以上の実施形態においては、仮設足場用養生シート１０の外周辺（１２Ａ，１２Ｂ，１２Ｃ，１２Ｄ）のうち、外周辺１２Ａと外周辺１２Ｂに連結具１８が着脱可能に装着された多角形枠体（１４Ａ，１４Ｂ）を有するベルト（１６Ａ，１６Ｂ）を取り付けているが、外周辺（１２Ａ，１２Ｂ，１２Ｃ，１２Ｄ）のいずれか１つであってもよいし、外周辺（１２Ａ，１２Ｂ，１２Ｃ，１２Ｄ）の全てであってもよい。連結具１８は多角形枠体（１４Ａ，１４Ｂ，１４Ｃ，１４Ｄ）に着脱可能であるから、隣り合う仮設足場用養生シート１０を連結する際において連結具１８が重複して装着されている場合には、重複した連結具１８は取り外せばよい。
【００２９】
また、本実施形態においては、図２に示すように断面形状がＳ字形状に形成された板状部材からなる連結具１８を用いているが、図５に示すような断面形状がＣ字形状に形成された連結具１８を採用することもできる。さらには、仮設足場用養生シート１０がきわめて軽量である場合には、図６に示すような周方向の一部を切り欠いて開口部１８Ａとした切り欠き円筒１８ｘを連結板１８ｙにより連結した連結具１８を採用することもできる。
【００３０】
さらには、以上に説明した変形実施形態と、明細書中に記載した変形例とを適宜組み合わせた仮設足場用養生シート１０の形態を採用することも可能である。
【符号の説明】
【００３１】
１０，１０−１，１０−２，１０−３  仮設足場用養生シート
１２  シート体，１２Ａ，１２Ｂ，１２Ｃ，１２Ｄ  外周辺，
１４Ａ，１４Ｂ，１４Ｃ，１４Ｄ  多角形枠体，１４Ｚ  外周縁，
１６Ａ，１６Ｂ，１６Ｃ，１６Ｄ  ベルト
１８  連結具，１８Ａ  開口部，１８ｘ  円筒，１８ｙ  連結板，
１９  ハト目，
１００  仮設足場用養生体
ａ１  開口部の開口寸法
ａ２  外周縁の幅寸法
【図１】
0003209100.tif 000003
【図２】
0003209100.tif 000004
【図３】
0003209100.tif 000005
【図４】
0003209100.tif 000006
【図５】
0003209100.tif 000007
【図６】
0003209100.tif 000008